(57)【要約】  自己パージ式エキスパンション・ジョイントは、ベローズを第１の導管と連結する第１の環状シール・スリーブ、及びベローズを第２の導管と連結する第２の環状シール・スリーブを含むことができる。流量抑制孔は、より高圧の外部流体が、ベローズをパージするように環状通路を通り、より低圧の流体を含むエキスパンション・ジョイントの主流体流路へと、流れることを可能にする。自己パージ式エキスパンション・ジョイントは、流体接触分解ユニットの分離器内で、例えば一次ストリッピング・サイクロンと二次ストリッピング・サイクロンとの間で、利用することができる。
2010504488.tif 000002
【特許請求の範囲】
【請求項１】
外部加圧流体とともに使用するための自己パージ式エキスパンション・ジョイントであって、
互いに対して可動な隣接する端部を有する第１及び第２の導管の周りに配設されたベローズと、
前記第１及び第２の導管を通る主流体流路と、
前記第１の導管と前記ベローズの第１の端部との間に周辺シールを形成する第１の環状シール・スリーブと、
前記第２の導管と前記ベローズの第２の端部との間に周辺シールを形成する第２の環状シール・スリーブと、
前記第１の環状シール・スリーブ内の流量抑制孔と、
前記孔を通り、前記ベローズと前記第１の導管との間を通り、前記第１及び第２の導管の前記隣接する端部間の間隙を通り、前記主流体流路へと流れるパージ流体流路とを含む自己パージ式エキスパンション・ジョイント。
【請求項２】
前記孔が、加圧された領域から前記ベローズと前記第１の導管との間の環状通路への流体入口を含む、請求項１に記載の自己パージ式エキスパンション・ジョイント。
【請求項３】
前記間隙が、前記環状通路から前記主流体流路への出口を含む、請求項２に記載の自己パージ式エキスパンション・ジョイント。
【請求項４】
前記加圧された領域内の流体が、前記主流体流路より高圧である、請求項２に記載の自己パージ式エキスパンション・ジョイント。
【請求項５】
前記第１の導管、第２の導管、第１の環状シール・スリーブ、及び第２の環状シール・スリーブの少なくとも１つに、硬い耐熱性の内側ライナーをさらに含む、請求項１に記載の自己パージ式エキスパンション・ジョイント。
【請求項６】
前記主流体流路が垂直方向に延び、前記第１及び第２の導管の前記隣接する端部間の前記間隙が、前記エキスパンション・ジョイントの下側端部にある、請求項１に記載の自己パージ式エキスパンション・ジョイント。
【請求項７】
前記第１及び第２の導管の前記隣接する端部が、それらの間に前記間隙を形成するように軸方向に離間する、請求項１に記載の自己パージ式エキスパンション・ジョイント。
【請求項８】
前記第１及び第２の導管の前記隣接する端部が同心であり径方向に離間され、それらの間に前記間隙を形成するように、前記隣接する端部の一方が他方より大きい直径を有する、請求項１に記載の自己パージ式エキスパンション・ジョイント。
【請求項９】
１つ又は複数の流量抑制孔が、加圧された容器内の比較的高圧の流体と主流体流路内の流体との間の圧力差のための流体面積を提供する、請求項１に記載の自己パージ式エキスパンション・ジョイントを収容する加圧された容器。
【請求項１０】
前記ベローズを覆う保護カバーをさらに含む、請求項１に記載の自己パージ式エキスパンション・ジョイント。
【請求項１１】
前記保護カバーが前記流量抑制孔の上に重なる、請求項１０に記載の自己パージ式エキスパンション・ジョイント。
【請求項１２】
前記保護カバーの近位側端部が前記第１の環状シール・スリーブに対して周辺シールされ、前記保護カバーの遠位側端部の開口が外部加圧流体の進入を可能にする、請求項１１に記載の自己パージ式エキスパンション・ジョイント。
【請求項１３】
前記流量抑制孔が複数の円形流量抑制孔である、請求項１に記載の自己パージ式エキスパンション・ジョイント。
【請求項１４】
前記加圧された容器が流体接触分解（ＦＣＣ）ユニットの分離器である、請求項９に記載の自己パージ式エキスパンション・ジョイント。
【請求項１５】
前記第１又は第２の導管の一方が、サイクロンの出口と連通する、請求項１４に記載の自己パージ式エキスパンション・ジョイント。
【請求項１６】
前記第１の導管が一次サイクロンの出口及び二次サイクロンの入口の一方と連通し、前記第２の導管が他方と連通する、請求項１４に記載の自己パージ式エキスパンション・ジョイント。
【請求項１７】
請求項１に記載の自己パージ式エキスパンション・ジョイントを含むＦＣＣユニットであって、第１の導管が二次サイクロンと連通し、第２の導管が一次サイクロンからのシールされた蒸気出口と連通し、前記流体接触分解（ＦＣＣ）ユニットが、
ＦＣＣライザー流出物から触媒を分離し、炭化水素蒸気の触媒の少ないストリームを形成するように前記一次サイクロンが分離器内に配設されたＦＣＣ分離器と、
前記ＦＣＣ分離器の下側端部内の触媒ベッドと、
前記ＦＣＣライザー流出物を前記一次サイクロンに供給するための前記一次サイクロンへの入口と、
前記触媒ベッドへの任意のストリッピング流体供給部と、前記触媒ベッドから前記ＦＣＣ分離器の前記下側端部を通る、触媒出口とを含み、
前記一次サイクロンが、
サイクロン容器と、
懸濁液から固体を分離し、固体含有量の少ない蒸気の渦を形成するための円筒形表面と、
前記渦と連通する前記一次サイクロンからのシールされた前記蒸気出口と、
前記一次サイクロンの下側端部からの固体排出出口とをさらに含むＦＣＣユニット。
【請求項１８】
外部加圧流体とともに使用するためのエキスパンション・ジョイントをパージする方法であって、
互いに対して可動な隣接する端部を有する第１及び第２の導管の周りに配設されたベローズを設ける段階と、
前記第１及び第２の導管を通る主流体流路を形成する段階と、
前記第１の導管と前記ベローズの第１の端部との間に第１の環状シール・スリーブで周辺シールを形成する段階と、
前記第２の導管と前記ベローズの第２の端部との間に第２の環状シール・スリーブで周辺シールを形成する段階と、
前記第１の環状スリーブの流量抑制孔を通り、前記ベローズと前記第１の導管との間を通り、前記第１及び第２の導管の前記隣接する端部間の間隙を通り、前記主流体流路へと流れるパージ流体流路を形成する段階とを含む方法。
【請求項１９】
パージ流体の流速を制御するのに効果的な、比較的高圧の外部流体と前記主流体流路内の流体との間の圧力差のための流体面積を提供する、前記流量抑制孔のサイズ及び数を選択する段階をさらに含む、請求項１８に記載の方法。
【請求項２０】
前記ベローズからあらゆる異物をパージするために、加圧された領域から、前記流量抑制孔を通り、前記ベローズと前記第１の導管との間の環状通路へと、流体を通過させる段階をさらに含む、請求項１６に記載の方法。
【請求項２１】
前記第１及び第２の導管の前記隣接する端部間の環状通路から前記主流体流路へと、前記流体を通過させる段階をさらに含む、請求項２０に記載の方法。
【請求項２２】
前記流量抑制孔を通過する前に、前記ベローズと前記ベローズを覆う保護カバーとの間の前記加圧された領域から流体を通過させる段階をさらに含む、請求項２１に記載の方法。
【請求項２３】
請求項１７に記載の自己パージ式エキスパンション・ジョイントをパージする方法であって、分離器内の蒸気空間から、前記エキスパンション・ジョイントの流量抑制孔を通り、主流体流路へと、流体を通過させる段階を含む方法。
【請求項２４】
前記分離器内の前記蒸気空間と前記主流体流路との間の圧力差を、０より大きく最大４０キロパスカルの範囲内に維持する段階をさらに含む、請求項２３に記載の方法。
【発明の詳細な説明】
【技術分野】
【０００１】
本実施例はエキスパンション・ジョイント（伸縮継手）に関し、より詳細には、自己パージ式エキスパンション・ジョイントに関する。
【背景技術】
【０００２】
エキスパンション・ジョイントは、多様なライン及び機器を連結するために、様々な業界で利用されている。エキスパンション・ジョイントはベローズを含むことがあり、このベローズは、異物を中に形成又は蓄積してエキスパンション・ジョイントの動作を妨げることがある。例えば、流体接触分解（ＦＣＣ）ユニットのエキスパンション・ジョイントのベローズ内でコークス及び／又は触媒粒子の堆積が起きることがある。
【０００３】
ベローズに沿って及び／又はベローズの周りに流体を循環させることによって、異物の形成又は蓄積を防ぐことができるが、エキスパンション・ジョイントとの別個の流体接続部によって、望ましくない複雑性、並びに流体接続部に関連する据付、運転、及び保守費用が発生することがある。
【図面の簡単な説明】
【０００４】
以下の詳細な説明は、添付の図面と併せるとより良く理解できるであろう。
【図１】一実施例による自己パージ式エキスパンション・ジョイントの部分切断図である。
【図２】一実施例による自己パージ式エキスパンション・ジョイントの概略的な断面図である。
【図３】一実施例による自己パージ式エキスパンション・ジョイントの概略的な断面図である。
【図４】一実施例による、流体接触分解（ＦＣＣ）ユニットの分離器内の一次サイクロンと二次サイクロンの間に配設された、自己パージ式エキスパンション・ジョイントの概略図である。  実施例は、上記の図を参照して以下で詳細に説明される。
【実施例】
【０００５】
実施例を詳細に説明する前に、実施例は特定の実施例に限定されるものではなく、様々な方法で実行又は実施することができることを理解されたい。
【０００６】
実施例は、自己パージ式エキスパンション・ジョイントなどのエキスパンション・ジョイントに関する。自己パージ式エキスパンション・ジョイントは、エキスパンション・ジョイント外部の流体が、エキスパンション・ジョイント内の内部流体より圧力が高いとき、利用することができる。例えば、自己パージ式エキスパンション・ジョイントを、加圧された容器内に配設することができる。
【０００７】
一実施例では、自己パージ式エキスパンション・ジョイントは、互いに対して可動な第１及び第２の導管の周りに配設されたベローズと、第１及び第２の導管の隣接する端部を通る主流体流路と、第１の導管とベローズの第１の端部との間に周辺シールを形成する第１の環状シール・スリーブと、第２の導管とベローズの第２の端部との間に周辺シールを形成する第２の環状シール・スリーブと、第１の環状シール・スリーブ内の流量抑制孔と、この孔を通り、ベローズと第１の導管との間を通り、第１及び第２の導管の隣接する端部間の間隙を通り、主流体流路へと流れるパージ流体流路とを含むことができる。流量抑制孔は、加圧された領域からベローズと第１の導管との間の環状通路への流体入口を含むことができる。間隙は、環状通路から主流体流路への出口を含むことができる。加圧された領域内の流体は、主流体流路より高圧とすることができる。１つ又は複数の流量抑制孔は、例えば、０より大きく約４０キロパスカル未満などの、加圧された容器内のより高圧の流体と主流体流路内の流体との圧力差のための流体面積を提供することができる。
【０００８】
自己パージ式エキスパンション・ジョイントは、ベローズを覆う保護カバーを含むことができる。保護カバーは流量抑制孔の上に重なることができる。保護カバーの近位側端部は、第１の環状シール・スリーブに対して周辺シールすることができ、保護カバーの遠位側端部の開口は、加圧された容器から流体が進入できるようにする。
【０００９】
流量抑制孔は、１つ又は複数の円形流量抑制孔とすることができる。エキスパンション・ジョイントは加圧された容器内とすることができ、一実施例では流体接触分解（ＦＣＣ）ユニットの分離器とすることができる。第１又は第２の導管の一方は、サイクロンの入口又は出口と連通することができる。第１の導管は一次サイクロンの出口及び二次サイクロンの入口の一方と連通することができ、第２の導管は他方と連通することができる。一次サイクロンは閉じたサイクロンとすることができる。
【００１０】
自己パージ式エキスパンション・ジョイントは、第１の導管、第２の導管、第１の環状シール・スリーブ、及び第２の環状シール・スリーブの少なくとも１つに、硬い耐熱性の内側ライナーを含むことができる。主流体流路は垂直方向に延びることができ、第１及び第２の導管の隣接する端部間の間隙は、エキスパンション・ジョイントの下側端部とすることができる。第１及び第２の導管の隣接する端部をそれらの間に間隙を形成するように軸方向に離間することができ、又は隣接する端部を、一方が他方より大きい直径を有し、同心として径方向に離間することができる。
【００１１】
一実施例では、ＦＣＣユニットは自己パージ式エキスパンション・ジョイントを含むことができ、第１の導管が二次サイクロンと連通することができ、第２の導管が一次サイクロンからのシールされた蒸気出口と連通することができる。流体接触分解（ＦＣＣ）ユニットは、ＦＣＣライザー流出物から触媒を分離し、炭化水素蒸気の触媒の少ない流れを形成するように一次サイクロンが分離器内に配設されたＦＣＣ分離器、ＦＣＣ分離器の下側端部内の触媒ベッド、及びＦＣＣライザー流出物を一次サイクロンに供給するための一次サイクロンへの入口を含むことができる。ＦＣＣユニットは、触媒ベッドへのストリッピング（剥離）流体の供給部、及び触媒ベッドからＦＣＣ分離器の下側端部を通る、ストリッピングされた触媒の出口を含むことができる。一次サイクロンは、サイクロン容器、懸濁液から固体を分離し、固体含有量の少ない蒸気の渦を形成するための円筒形表面、渦と連通する一次サイクロンからのシールされた蒸気出口、及び一次サイクロンの下側端部からの固体排出出口を含むことができる。
【００１２】
加圧された容器内部で使用するためのエキスパンション・ジョイントをパージする方法は、互いに対して可動な隣接する端部を有する第１及び第２の導管の周りに配設されたベローズを設ける段階と、第１及び第２の導管を通る主流体流路を形成する段階と、第１の導管とベローズの第１の端部との間の第１の環状シール・スリーブで周辺シールを形成する段階と、第２の導管とベローズの第２の端部との間の第２の環状シール・スリーブで周辺シールを形成する段階と、第１の環状スリーブの流量抑制孔を通り、ベローズと第１の導管との間を通り、第１及び第２の導管の隣接する端部間の間隙を通り、主流体流路へと流れるパージ流体流路を形成する段階とを含むことができる。
【００１３】
方法は、所望のパージ速度を達成するために、比較的高圧の外部流体と主流体流路内の比較的低圧の流体との間の圧力差のための流体面積を提供する、流量抑制孔のサイズ及び数を選択する段階を含むことができる。一実施例では、圧力差は０より大きく最大で約４０キロパスカルとすることができる。方法は、ベローズからあらゆる異物をパージするために、加圧された領域から、流量抑制孔を通り、ベローズと第１の導管との間の環状通路へと、流体を通過させる段階を含むことができる。方法は、第１及び第２の導管の隣接する端部間の環状通路から主流体流路へと、流体を通過させる段階をさらに含むことができる。方法は、流量抑制孔を通過する前に、ベローズとベローズを覆う保護カバーとの間の加圧された領域から流体を通過させる段階を含むことができる。
【００１４】
自己パージ式エキスパンション・ジョイントをパージする方法は、エキスパンション・ジョイントの流量抑制孔を通り、主流体流路へと、パージ流体を通過させる段階を含むことができる。
【００１５】
図を参照すると、図１は、一実施例による自己パージ式エキスパンション・ジョイント１００の部分切断図である。「パージ式」とは、エキスパンション・ジョイント内での固体の形成又は蓄積を阻止するために、例えば外部流体などの流体を、ベローズ内に又はベローズを通って循環させることをいう。「自己パージ式」とは、パージ流体として利用可能な圧力で周囲流体を受動的に使用することをいい、エキスパンション・ジョイント１００の内部をパージする特定の目的のために、遠隔の供給源から専用流体を供給するためのいかなる外部配管又はラインも必要としないことがある。図に例示するように、ベローズ１０２が第１の導管１０４及び第２の導管１０６の周りに配設されている。ベローズ１０２は、限定はされないが、ステンレス鋼又は他の金属、ポリマー、織又は不織の天然又は合成繊維、又はそれらの組み合わせを含む、動作温度及び他の条件に適切な任意の材料とすることができる。第１及び第２の導管１０４、１０６の隣接する端部は、互いに対して可動とすることができる。主流体流路１０８は、第１及び第２の導管１０４、１０６の隣接する端部を通って延びることができる。流体は自己パージ式エキスパンション・ジョイント１００を通って流れることができ、又はより詳細には、流体は主流体流路１０８を通って流れることができる。
【００１６】
第１の環状シール・スリーブ１１０は、第１の導管１０４とベローズ１０２の第１の端部との間に周辺シールを形成することができる。第２の環状シール・スリーブ１１２は、第２の導管１０６とベローズ１０２の第２の端部との間に周辺シールを形成することができる。図１に例示するように、第１及び／又は第２の環状シール・スリーブ１１０、１１２は、円筒形とすることができ、それぞれ第１及び第２の導管１０４、１０６への先細又は切頭円錐状の接続部１１４、１１６を含むことができる。第１の導管１０４の自由端は、ベローズ１０２及び第２の環状シール・スリーブ１１２を通り、第２の導管１０６の隣接する端部へ向かって、同軸方向に延びることができる。
【００１７】
ベローズ１０２と第１の導管１０４の外表面との間に形成された環状通路１２０と連通して、第１の環状シール・スリーブ１１０に流量抑制孔１１８を形成することができる。図１に例示された実施例では、第１の環状シール・スリーブ１１０の円筒形部分の外周の周りに複数の円形孔が形成されている。したがって、孔１１８は、自己パージ式エキスパンション・ジョイント１００外部の流体が、ベローズ１０２と第１の導管１０４との間の全体的に環状の通路１２０に入り、第１及び第２の導管１０４、１０６の向かい合う端部間の間隙を通り、導管１０４、１０６内の中央通路１０８へと、流入することを可能にする。間隙は、第１及び第２の導管１０４、１０６の向かい合う端部を軸方向にオフセットすることによって形成することができ、又は導管１０４、１０６が同軸であり異なる直径を有する場合、径方向間隙が存在することができる（後述する図３を参照）。一般に、軸方向にオフセットする導管は同じ直径を有することができ、径方向間隙とする場合は、主流体流路を通る流体流の通常方向の下流にある導管は、上流の導管より大きい直径を有することができる。
【００１８】
パージ流は、自己パージ式エキスパンション・ジョイント１００外部のより高圧の流体と、エキスパンション・ジョイント１００の主流体流路１０８内に含まれるより低圧の流体との圧力差によって生じることができる。より高圧の流体は、自己パージ式エキスパンション・ジョイント１００を含む、例えば加圧された容器など、主流体流路１０８に対して相対的に高圧の領域からとすることができる。一実施例では、自己パージ式エキスパンションバルブ１００外部の流体、例えば、ＦＣＣユニット内の分離器からの蒸気又は他のストリッピング流体を、パージ流体として利用することができる。パージ流は、自己パージ式エキスパンション・ジョイント１００外部の流体（例えば、周囲又は大気圧力）と、エキスパンション・ジョイント１００の主流体流路１０８内に含まれる外部流体（例えば、大気圧以下の圧力）に対して負圧である流体との、圧力差によって生じることができる。
【００１９】
環状通路１２０へと流れるパージ流体流はそこから粒子を押し流すことができ、流体が主流体流路１０８から流入することを阻止することができる。それにより、パージ流はベローズ１０２の折り目又は隣接する他の領域での固体の形成及び／又は蓄積を低減又は排除を助けることができ、さもなければ、エキスパンション・ジョイント１００が第１の導管１０４と第２の導管１０６との相対動作に対応する能力に悪影響を与える可能性がある。したがって、パージ流は、例えば温度差膨張による負荷を軽減するなど、エキスパンション・ジョイント１００が本来の機能を発揮することを可能にする。
【００２０】
流量抑制孔１１８及び／又は環状通路１２０は、自己パージ式エキスパンション・ジョイント１００の動作に干渉することがある異物の蓄積及び／又は形成の防止の助けとなるのに十分な、流体の流量を可能にするサイズとすることができる。孔１１８に関する「流量抑制」とは、孔１１８のサイズ及び数によって流量を効果的に制御することができるように、孔が総合的に、エキスパンション・ジョイント１００を通るパージ流体流路の最小の効果的な流体の断面積を示すことができる、という意味を含んでいる。孔１１８は、例えば、利用可能な圧力差、エキスパンション・ジョイントの形状及び流体特性に所望されるパージ速度を提供するように、選択することができる。
【００２１】
孔１１８のサイズ及び数は、所望されるパージ速度を達成するように、エキスパンション・ジョイント１００外部のより高圧の流体と、主流体流路１０８内の流体との間の圧力差のための流領域を提供するように選択することができる。例えば、ＦＣＣ分離器内では圧力差は、一実施例では０より大きく約４０キロパスカル（ｋＰａ）未満、又は他の実施例では１から２０ｋＰａ又は５から１５ｋＰａとすることができる。
【００２２】
任意で、シュラウド又は保護カバー１２２を、例えば、ベローズ１０２の上に含むことができる。カバー１２２は、ベローズ１０２が、保守又は他の運転中に、工具又は人間による予期しない衝撃によって損傷を受けることがないように、剛性の円筒の形態とすることができる。保護カバー１２２は、孔１１８の上に重なることもできる。図１に例示するように、保護カバー１２２の一方の端部を第１の環状シール・スリーブ１１０に対して周辺シールし、保護カバー１２２の自由端に、周囲パージ流体が孔１１８へと進入することができるように、保護カバー１２２とベローズ１０２の間の環状通路への開口を設けることができる。特に断面の流体の面積が孔１１８を通る面積より大きい場合の、ベローズ１０２の外面に沿った流れ、及び垂直又は上向きのパージ流体流の向きが、異物の形成及び／又は蓄積を低減又は排除する助けとなることができる。
【００２３】
第１の導管１０４、第２の導管１０６、第１の環状シール・スリーブ１１０、第２の環状シール・スリーブ１１２、又はそれらの組み合わせに、任意の内側ライナー１２４を使用することができる。例えば、内側ライナー１２４は、一次流体流に巻き込まれた粒子による浸食に耐性のある、十分な硬度の耐熱材料を含むことができる。
【００２４】
導管（１０４、１０６）、環状シール・スリーブ（１１０、１１２）、ベローズ１０２、及び／又は保護カバー１２２は、円形、長方形等の横断面を有する、全体的に管状又は円筒形の形状とすることができる。孔１１８及び／又は環状通路１２０は、自己パージ式エキスパンション・ジョイント１００の動作に干渉することがある異物の蓄積及び／又は形成の防止の助けとなるのに十分な、流体の流量を可能にするように構成することもできる。
【００２５】
市販のＦＣＣ分離器のシールされたプレナムの１つの特定の実施例では、主流体流路１０８の内径は９１ｃｍ、ベローズ１０２と第１の導管１０４との径方向間隔は１．２７ｃｍ、及び環状通路１２０の面積は３６５ｃｍ２とすることができる。それぞれの直径が０．６９ｃｍである孔１１８が２４個あり、総合的な孔の面積が８．８ｃｍ２、圧力差が６．９ｋＰａ、及び主流体流路１０８内の流速が１２６ｍ／ｓであるとき、環状通路１２０を通る速度は３ｍ／ｓとなる。
【００２６】
図２は、一実施例による自己パージ式エキスパンション・ジョイント２００の概略的な断面図を示す。自己パージ式エキスパンション・ジョイント２００の、内部を流れるより低圧の流体と、外面上を流れる流体との圧力差によって、外部流体が孔２０２を通り、異物をパージするようにベローズ２０６と第１の導管２０８との間の環状通路２０４に沿って流れ、第１の導管２０８及び第２の導管２１０の隣接する端部間の間隙を通り、第１の導管２０８及び第２の導管２１０の中央通路によって全体的に画成される主流体流路２１２へと流れることができる。図２の実施例では、間隙は軸方向であり、軸方向に離間して隣接する導管２０８、２１０の端部によって画成されている。第１の導管２０８は、第２の導管２１０と同じ又は異なる内径及び／又は外径を有することができる。
【００２７】
図３は、本発明の一実施例による自己パージ式エキスパンション・ジョイント３００の概略的な断面図を示す。図３に例示する実施例では、間隙は径方向であり、第１及び第２の導管３０２、３０４の端部を重ねることによって画成されており、より小さい導管の外径は、より大きい導管の内径より小さい。導管３０２、３０４は垂直方向とすることができ、すなわち、それにより画成される主流体流路３０６の軸は垂直である。下側の導管３０４は、主流体流路を通る流れに対して上流に向けることができ、上流の導管は下流の導管より小さい直径を有することができ、実施例ではベンチュリ効果をもたらすことができる。したがって、図示された構成は、ベローズ３０８付近の領域から残滓の排除を維持することをさらに容易にする。第２の導管３０４に関連する環状シール・スリーブ３１０は、第１の導管３０２の端部を可動に受けるように、第１の導管３０２の外径より大きい内径を有する円筒形部分を含むことができる。図３に示す実施例は、第１の環状シール・スリーブ３１４に取り付けられた保護カバー３１２を含む。
【００２８】
環状通路３１６と自己パージ式エキスパンション・ジョイント３００の外面上のより高圧の流体との圧力差によって、より高圧の外部流体が、保護カバー３１２とベローズ３０８の外面との間の周方向間隙へと流れ、孔３１８を通り、あらゆる異物をパージするように（例えば、ベローズ３０８の穴に沿って）環状通路３１６へと流れ、第２の環状シール・スリーブ３１０の穴と第１の導管３０２の外面との間の間隙及び第１の導管３０２の穴と第２の導管３０４の外面との間の間隙によって画成される経路へと流れ、自己パージ式エキスパンション・ジョイント３００の主流体流路３０６へと流れることができる。
【００２９】
図４は、一実施例による、流体接触分解（ＦＣＣ）ユニットの分離器４０６内の一次サイクロン４０２と二次サイクロン４０４との間に配設された、自己パージ式エキスパンション・ジョイント４００の概略図を示す。
【００３０】
分離器４０６は、例えば、限定はされないが蒸気を含む、ストリッピング流体などの加圧された流体を含むことができる。分離器４０６内のストリッピングは任意であり、例えば、別個の容器をストリッピングのために利用することもできる。一次サイクロン４０２は、ＦＣＣライザー４１０からの流体／粒子懸濁液（すなわち、ＦＣＣライザー流出物）を受ける入口４０８を有することができる。一次サイクロン４０２は閉じたサイクロンとすることができる。一次サイクロン４０２は、触媒の固体をそこからデンス・ベッド４１４へと排出することができる出口４１２を含むことができ、任意で、そこに供給される蒸気などのストリッピング流体を使用して、ストリッピング・ベッドとして操作することもできる。一次サイクロン４０２からの蒸気出口は、自己パージ式エキスパンション・ジョイント４００に連結することができ、又はより詳細には、その第２の導管４１６に連結することができ、炭化水素蒸気の触媒の少ない流れが、そこを通過することができる。二次サイクロン４０４の接線方向の入口４１８は、自己パージ式エキスパンション・ジョイント４００に連結することができ、又はより詳細には、その第１の導管４２０に連結することができる。二次サイクロン４０４は、蒸気出口４２２及び触媒の固体４１４を排出することができる出口４２４を含むことができる。
【００３１】
図４に例示された実施例のＦＣＣユニットは、分離器４０６からオフセットされた再生器４２６、及びライザー４１０の上に垂直に配置された分離器４０６を含み、ライザー４１０はベッド４１４を通っている。ストリッピングされた触媒を、輸送ライン４２８を通って再生器４２６に供給することができる。ディップレッグ４１２、４２４は、触媒ベッド４１４内でシールすることができ、或いは細流バルブ（図示せず）を含むことができる。ストリッピング・ガスは、使用する場合、触媒ベッド４１４の底面付近で従来のディストリビュータ４３０を通って供給することができる。懸濁された固体中の蒸気を希薄にするプロセスの混合物を上面の出口４３２から回収することができる。再生された触媒は、新しく供給されたストリーム４３６とともに輸送ライン４３４を通ってライザー４１０へ再循環することができる。
【００３２】
主分離器４０６の希薄段階に含まれる流体は、自己パージ式エキスパンション・ジョイント４００の流量抑制孔へと流入することができる。一次サイクロン４０２から排出された炭化水素蒸気の触媒の少ない流れは、ストリッピング流体より低圧であってもよい。
【００３３】
孔は、そこを通るストリッピング流体の流量を抑制するように、エキスパンション・ジョイント４００をパージするのに十分なサイズとすることができる。パージ流体として利用されるストリッピング流体は、炭化水素蒸気の触媒の少ない流れを通過させることのできる、自己パージ式エキスパンション・ジョイント４００の主流体流路へと排出することができる。分離器４０６内の流体（例えば、ストリッピングされた蒸気及び／又は任意のストリッピング流体）をパージ流体として利用することができるので、別個の流体供給及び／又はエキスパンション・ジョイント４００への連結が不要であり、据付、運転、及び／又は保守が簡略化される。
【００３４】
以上、これらの実施例を実施例を強調して説明したが、実施例は、添付の特許請求の範囲内で、本願で具体的に説明したもの以外にも実施することができることを理解されたい。
【図１】
2010504488.tif 000003
【図２】
2010504488.tif 000004
【図３】
2010504488.tif 000005
【図４】
2010504488.tif 000006
【国際調査報告】
2010504488.tif 000007